(57)【要約】【課題】  ハンマーを安心して使用できると共に、使用限界に達しているのにハンマーの使用を続けたり、使用限界に達してないにも拘わらずハンマーを新しいものと交換したりする不都合を防止できるようにした打撃工具を提供する。【解決手段】  柄４の先端部５に打撃頭部３が固定された打撃工具であって、柄４の中途部に、打撃ミスによって柄４に生じる傷の深さを判別可能な判別部２１が設けられている。また、前記判別部２１が、柄４の打撃面３ａ側であって打撃面３ａ側端面よりも打撃方向ａとは反対側に後退した位置に設けた柄長手方向の判別ライン１９により構成されている。【選択図】図１
2017071037.tif 000002
【特許請求の範囲】
【請求項１】
柄（４）の先端部（５）に打撃頭部（３）が固定された打撃工具であって、
柄（４）の中途部に、打撃ミスによって柄（４）に生じる傷の深さを判別可能な判別部（２１）が設けられていることを特徴とする打撃工具。
【請求項２】
前記判別部（２１）が、柄（４）の打撃面（３ａ）側であって打撃面（３ａ）側端面よりも打撃方向（ａ）とは反対側に後退した位置に設けた柄長手方向の判別ライン（１９）により構成されていることを特徴とする請求項１に記載の打撃工具。
【請求項３】
前記判別ライン（１９）が、柄（４）の柄長手方向に設けた凸条（１７）又は凹条（２３）により構成されていることを特徴とする請求項２に記載の打撃工具。
【請求項４】
前記判別ライン（１９）は、打撃ミスにより柄（４）に生じた傷で工具が使用限界になったときにその傷が判別ライン（１９）に達する位置に設定されていることを特徴とする請求項２又は３に記載の打撃工具。
【請求項５】
前記判別部（２１）は、柄（４）の打撃方向（ａ）及び柄長手方向と直交する幅方向両側に設けられていることを特徴とする請求項１〜４のいずれか１項に記載の打撃工具。
【請求項６】
打撃工具がハンマー（１）で構成され、柄（４）の先端部（５）に打撃頭部（３）が柄長手方向に直交する両側に突出するように固定され、打撃頭部（３）の柄（４）の先端部（５）から突出する両端面が打撃面（３ａ）とされていて、前記柄（４）の先端部（５）から突出する両方向が打撃方向（ａ）とされており、柄（４）の両打撃方向（ａ）側に前記判別部（２１）がそれぞれ設けられていることを特徴とする請求項１〜５のいずれか１項に記載の打撃工具。
【発明の詳細な説明】
【技術分野】
【０００１】
本発明は、ハンマー等の打撃工具に関するものである。
【背景技術】
【０００２】
打撃工具であるハンマーには、従来より、ハンマー柄の先端部に打撃頭部を固定したものがある（例えば特許文献１，２）。
この種の打撃工具では、打撃ミスによって柄の中途部で対象物を叩くことがあり、このときの打撃の衝撃によって柄の中途部に傷が生じてしまい、長期間の使用によって柄の中途部の傷が次第に大きく深くなり、やがてハンマーは使用限界に達し、これ以上使用を続けると、柄が途中で折れたり大きく折曲したりして、使用不能になる。
【先行技術文献】
【特許文献】
【０００３】
【特許文献１】特開２００６−１１０６４７号公報
【特許文献２】特開２０１５−７４０４４号公報
【発明の概要】
【発明が解決しようとする課題】
【０００４】
しかし、従来では、使用限界に達していることを示す手段がなかったため、ハンマーの使用者が感によって使用限界を判断しており、使用限界を正確に判断することが困難であり、ハンマーを長期間使用していると、工場や建設現場等の工具管理上、安心して使用できなくなるし、使用限界に達しているのにハンマーの使用を続けたり、使用限界に達してないにも拘わらずハンマーを新しいものと交換したりするという問題があった。
【０００５】
本発明は上記問題点に鑑み、打撃工具が使用限界に達したときに、そのことを使用者がより確実に判断できるようにして、ハンマーを安心して使用できると共に、使用限界に達しているのにハンマーの使用を続けたり、使用限界に達してないにも拘わらずハンマーを新しいものと交換したりする不都合を防止できるようにした打撃工具を提供することを目的としている。
【課題を解決するための手段】
【０００６】
本発明における課題解決のための具体的手段は、次の通りである。
この技術的課題を解決する本発明の技術的手段は、柄４の先端部５に打撃頭部３が固定された打撃工具であって、柄４の中途部に、打撃ミスによって柄４に生じる傷の深さを判別可能な判別部２１が設けられている点にある。
また、本発明の他の技術的手段は、前記判別部２１が、柄４の打撃面３ａ側であって打撃面３ａ側端面よりも打撃方向ａとは反対側に後退した位置に設けた柄長手方向の判別ライン１９により構成されている点にある。
【０００７】
また、本発明の他の技術的手段は、前記判別ライン１９が、柄４の柄長手方向に設けた凸条１７又は凹条２３により構成されている点にある。
また、本発明の他の技術的手段は、前記判別ライン１９は、打撃ミスにより柄４に生じた傷で工具が使用限界になったときにその傷が判別ライン１９に達する位置に設定されている点にある。
【０００８】
また、本発明の他の技術的手段は、前記判別部２１は、柄４の打撃方向ａ及び柄長手方向と直交する幅方向両側に設けられている点にある。
また、本発明の他の技術的手段は、打撃工具がハンマー１で構成され、柄４の先端部５に打撃頭部３が柄長手方向に直交する両側に突出するように固定され、打撃頭部３の柄４の先端部５から突出する両端面が打撃面３ａとされていて、前記柄４の先端部５から突出する両方向が打撃方向ａとされており、柄４の両打撃方向ａ側に前記判別部２１がそれぞれ設けられている点にある。
【発明の効果】
【０００９】
本発明によれば、打撃ミスによって柄に生じる傷の深さを判別可能な判別部が設けられているので、打撃工具の使用者は判別部によって打撃ミスによって柄に生じた傷の深さを判別して、打撃工具が使用限界になったか否かをより正確に判断することができるようになる。従って、打撃工具を使用限界に達するまで安心して使用できるようになるし、使用限界に達しているのに打撃工具を使用し続けたり、使用限界に達してないにも拘わらず、新しい打撃工具と交換したりする不都合をなくすことができる。
【図面の簡単な説明】
【００１０】
【図１】本発明の第１実施形態を示すハンマーの正面図である。
【図２】同ハンマーの先端側の正面断面図である。
【図３】同ハンマーの先端側の平面断面図である。
【図４】同図１のＡ−Ａ線断面図である。
【図５】ハンマー柄の断面図で、（ａ）（ｂ）（ｃ）（ｄ）はそれぞれ他の実施形態を示すものである。
【図６】ハンマー柄の断面図で、（ａ）（ｂ）（ｃ）（ｄ）はそれぞれ他の実施形態を示すものである。
【図７】ハンマー柄の断面図で、（ａ）（ｂ）はそれぞれ他の実施形態を示すものである。
【発明を実施するための形態】
【００１１】
以下、本発明の実施の形態を図面に基づいて説明する。
図１〜図４は本発明の第１実施形態を示している。図１〜図４において、打撃工具であるハンマー１は、打撃頭部３とハンマー柄４とを備えている。
打撃頭部３は、鉄等により構成されて、ハンマー柄４と直交する方向に長い角柱状に形成されている。
【００１２】
打撃頭部３の中央部にハンマー柄４の先端部５を内嵌固定するための嵌合孔６が設けられている。嵌合孔６は楕円の柱状の孔であって打撃頭部３に柄長手方向に貫通形成されている。
ハンマー柄４は、ポリプロピレン等の硬質合成樹脂製又はグラスファイバー製の柄本体８内にスチールパイプや中実な鉄心等の金属製の芯材９を埋設してなり、楕円の棒状に形成されている。
【００１３】
ハンマー柄４の先端部５は基部側よりもやや細い楕円の柱状に形成され、楕円の長軸方向のスリット１０がその先端から基部側に向けて柄長手方向に形成されている。ハンマー柄４の先端部５を打撃頭部３の嵌合孔６に圧入し、圧入した先端部５のスリット１０にくさび１１を打ち込むことによって、ハンマー柄４の先端部５が打撃頭部３に内嵌固定されている。
【００１４】
これにより、ハンマー柄４の先端部５に打撃頭部３が柄長手方向に直交する両側に突出するように固定され、打撃頭部３は先端部５からハンマー柄４の楕円の長軸方向に突出しており、打撃頭部３のハンマー柄４の先端部５から柄長手方向に直交する方向に突出する両端面が打撃面３ａとされている。
従って、打撃頭部３がハンマー柄４の先端部５から直交する方向に突出する両方向が打撃方向ａとされ、ハンマー柄４の断面形状である楕円の長軸方向が、打撃頭部３の長手方向と一致し、打撃方向ａとも一致している。
【００１５】
ハンマー柄４の先端側であって打撃頭部３よりも基部側にカバー筒体１３が設けられている。カバー筒体１３はウレタン等の柔軟な合成樹脂やゴム等によって楕円の筒状に形成され、ハンマー柄４の先端側であって打撃頭部３よりも基部側に打撃頭部３に接当又は近接するように外嵌され、打撃頭部３及びハンマー柄４にエポキシ樹脂系の接着剤等により接着されている。
【００１６】
ハンマー柄４の基部にグリップ１４が外嵌固定されている。グリップ１４はゴム製又は柔軟な合成樹脂製であり、打撃頭部３の長手方向に長い楕円の筒状に形成されている。
ハンマー柄４の中途部であって打撃頭部３の近傍に、柄長手方向の凸条１７が設けられている。この凸条１７は柄本体８に一体に形成したもので、長さが１２０ｍｍ程度に設定されている。
【００１７】
凸条１７はハンマー柄４の断面形状である楕円の長軸方向の両端部側にそれぞれ短軸方向の両側に振り分けて１つずつ配置されており、ハンマー柄４の外周の４箇所に設けられている。この４つの凸条１７は互いに対応しており、柄長手方向の同一位置に配置されている。
前記４つの凸条１７は、打撃ミスによってハンマー柄４に生じる傷の深さを判別可能な判別ライン１９（後述する判別部２１）をそれぞれ構成している。
【００１８】
従って、判別ライン１９はハンマー柄４の外周に４つあって、ハンマー柄４の打撃面３ａ側であって打撃面３ａ側端面よりも打撃方向ａとは反対側にやや後退した位置に設けられている。即ち、判別ライン１９は、打撃ミスによりハンマー柄４に生じた傷でハンマー１が使用限界になったときにその傷が判別ライン１９に達する位置に設定されている。
また、判別ライン１９は、ハンマー柄４の打撃方向ａ及び柄長手方向と直交する幅方向両側に配置されており、打撃ミスによってハンマー柄４に生じる傷の深さを判別可能な判別部２１を構成している。
【００１９】
ここで、ハンマー柄４に生じる傷とは、打撃ミスによってハンマー柄４に生じる凹み、塑性変形、切り傷、割れその他を含むものである。
前記第１実施形態によれば、ハンマー１を使用する場合、ハンマー柄４のグリップ１４を把持して、ハンマー１の打撃頭部３を打撃方向ａに振り下ろし、打撃頭部３の打撃面３ａで対象物を叩く。
【００２０】
この際に、打撃ミスによりハンマー柄４の中途部の打撃頭部３近傍で対象物を叩いてしまうことがあり、このときの打撃力によってハンマー柄４の中途部の打撃頭部３近傍に傷が生じる。そして、ハンマー１の使用を続けていると、ハンマー柄４の中途部に生じる傷が大きく深いものとなり、傷が次第に判別ライン１９に近づき、長期間の使用によってハンマー１が使用限界になると、ハンマー柄４の中途部に生じた傷が判別ライン１９に達するようになる。
【００２１】
従って、ハンマー１の使用者は判別ライン１９（判別部２１）によって打撃ミスによってハンマー柄４の中途部に生じた傷の深さを判別することが可能になり、ハンマー柄４の中途部に生じた傷が判別ライン１９の達したことによって、ハンマー１が使用限界に達したことを容易かつ正確に判断することができるようになる。このため、使用者はハンマー１を使用限界に達するまで安心して使用できるようになるし、使用限界に達しているのにハンマー１を使用し続けたり、使用限界に達してないにも拘わらず、新しいハンマー１と交換したりする不都合を防止することができる。
【００２２】
なお、ハンマー１が使用限界に達したとする判断は、判別ライン１９の位置設定によって、４つの判別ライン１９のうちのいずれか１つの判別ライン１９に傷が達したときになすようにしてもよいし、４つの判別ライン１９のうちの、ハンマー柄４の一方の打撃方向ａ側端部の２つの判別ライン１９に傷が達したときになすようにしてもよい。
図５（ａ）（ｂ）（ｃ）（ｄ）、図６（ａ）（ｂ）（ｃ）（ｄ）及び図７（ａ）（ｂ）は、それぞれ他の実施形態を示している。
【００２３】
図５（ａ）は、ハンマー柄４の中途部の４箇所に柄長手方向の凹条２３を設け、この４つの凹条２３によりそれぞれ柄長手方向の判別ライン１９乃至判別部２１を構成して、前記第１実施形態の場合と同様な位置に、柄長手方向の判別ライン１９乃至判別部２１を配設したものである。
図５（ｂ）は、ハンマー柄４の中途部外周面の４箇所に柄長手方向のＶ溝２４（段差よる溝）を設け、この４つのＶ溝２４によりそれぞれ柄長手方向の判別ライン１９乃至判別部２１を構成して、前記第１実施形態の場合と同様な位置に、柄長手方向の判別ライン１９乃至判別部２１を配設したものである。
【００２４】
図５（ｃ）は、ハンマー柄４の中途部外周面の４箇所に柄長手方向のＶ溝２４（段差よる溝）を設け、この４つのＶ溝２４によりそれぞれ柄長手方向の判別ライン１９乃至判別部２１を構成して、柄長手方向の判別ライン１９乃至判別部２１を配設したものである。
図５（ｄ）は、ハンマー柄４を断面長方形の棒状に形成し、ハンマー柄４の中途部外周面の４箇所に柄長手方向の凸条１７を設け、この４つの凸条１７によりそれぞれ柄長手方向の判別ライン１９乃至判別部２１を構成して、柄長手方向の判別ライン１９乃至判別部２１を配設したものである。
【００２５】
図６（ａ）は、ハンマー柄４を断面長方形の棒状に形成し、ハンマー柄４の中途部の４箇所に柄長手方向の凹条２３を設け、この４つの凹条２３によりそれぞれ柄長手方向の判別ライン１９乃至判別部２１を構成して、柄長手方向の判別ライン１９乃至判別部２１を配設したものである。
図６（ｂ）は、ハンマー柄４を断面長方形の棒状に形成し、ハンマー柄４の中途部の４箇所に柄長手方向のＶ溝２４（段差よる溝）を設け、この４つのＶ溝２４によりそれぞれ柄長手方向の判別ライン１９乃至判別部２１を構成して、柄長手方向の判別ライン１９乃至判別部２１を配設したものである。
【００２６】
図６（ｃ）は、ハンマー柄４を断面長方形の棒状に形成し、ハンマー柄４の中途部の４箇所に柄長手方向のＶ溝２４を設け、この４つのＶ溝２４によりそれぞれ柄長手方向の判別ライン１９乃至判別部２１を構成して、柄長手方向の判別ライン１９乃至判別部２１を配設したものである。
図６（ｄ）は、ハンマー柄４を断面長方形の棒状に形成し、ハンマー柄４の中途部の４箇所に柄長手方向のＶ溝２４（段差よる溝）を設け、この４つのＶ溝２４によりそれぞれ柄長手方向の判別ライン１９乃至判別部２１を構成して、柄長手方向の判別ライン１９乃至判別部２１を配設したものである。
【００２７】
図７（ａ）は、ハンマー柄４を、前記芯材９を省略して２色成形等によって互いに色が異なる打撃面３ａ側の第１構成部２８と第２構成部２９とを有する断面円形の棒状に形成し、第１構成部２８を打撃面３ａ側にそれぞれ配置すると共に、２つの第１構成部２８間に第２構成部２９を配置することにより、ハンマー柄４の中途部の４箇所に柄長手方向の色分けによる境界線３１を設け、この４つの色分けによる境界線３１によりそれぞれ柄長手方向の判別ライン１９乃至判別部２１を構成して、柄長手方向の判別ライン１９乃至判別部２１を配設したものである。
【００２８】
図７（ｂ）は、ハンマー柄４を、前記芯材９を省略して２色成形等によって互いに色が異なる外周部３３と中央部３４とを有する断面円形の棒状に形成し、中央部３４の打撃方向ａ側を外周部３３とは色が異なる判別部２１とし、打撃ミスによってハンマー柄４の中途部に生じた傷が深くなったときにハンマー柄４の外面に中央部３４の色（判別部２１）が表れて、ハンマー１の使用限界を判断できるようにしたものである。
【００２９】
なお、前記実施形態では、ハンマー柄４の先端部５に打撃頭部３が柄長手方向に直交する両側に突出するように固定され、打撃頭部３のハンマー柄４の先端部５から突出する両端面が打撃面３ａとされていて、前記柄の先端部５から突出する両方向が打撃方向ａとされているが、これに代え、ハンマー柄４の先端部５に打撃頭部３が柄長手方向に直交する方向の一方にのみ突出し、打撃頭部３のハンマー柄４の先端部５から突出する一端面のみが打撃面３ａとされていてもよく、この場合には、ハンマー柄４の打撃方向ａ側端部のみに判別ライン１９乃至判別部２１を設けるようにすればよい。
【００３０】
また、前記実施形態では、ハンマー柄４の打撃方向ａ及び柄長手方向と直交する幅方向両側に判別ライン１９乃至判別部２１を設けているが、これに代え、判別ライン１９乃至判別部２１をハンマー柄４の打撃方向ａ及び柄長手方向と直交する幅方向の一方側のみに設けるようにしてもよい。
また、前記実施形態では、判別ライン１９又は判別部２１が、柄４の柄長手方向に設けた凸条１７又は凹条２３により構成されているが、これに代え、判別ライン１９又は判別部２１を、柄４の柄長手方向に油性インク等で描いた容易に消すことできない線その他により構成するようにしてもよい。
【００３１】
また、前記実施形態では、本発明の打撃工具をハンマー１に適用しているが、本発明の打撃工具はハンマー１に限定されず、斧、鍬、鶴嘴その他の打撃工具にも適用することができる。
【符号の説明】
【００３２】
１      ハンマー（打撃工具）
３      打撃頭部
３ａ    打撃面
４      ハンマー柄
１７    凸条
１９    判別ライン
２１    判別部
２３    凹条
ａ      打撃方向
【図１】
2017071037.tif 000003
【図２】
2017071037.tif 000004
【図３】
2017071037.tif 000005
【図４】
2017071037.tif 000006
【図５】
2017071037.tif 000007
【図６】
2017071037.tif 000008
【図７】
2017071037.tif 000009